(57)【要約】      （修正有）【課題】収納されている物品の実質的な部分を見ることができ、物品が不用意に飛び出ることがなく、一連の折りたたみ操作ができる限り簡単で、かつカートンの組み立ておよび装填操作のオートメーション化を助けるカートン及びカートンを形成するブランクを提供する。【解決手段】カートンは、その内部に物品を装填し得る内部空間を画成する複数の壁を有し、複数の壁のうち第１の壁は複数の窓フラップを備え、これら窓フラップは第１の壁に折り曲げ可能に接続されているとともに、第１の壁と同一平面上にある第１の位置と、窓フラップが内部空間の内側に延びる第２の位置との間で折り曲げることができる。【選択図】図１
0003174661.tif 000002
【実用新案登録請求の範囲】
【請求項１】
カートンおよび複数の物品から成る包装であって、
前記カートンは前記物品を受容する内部空間を画成する複数の壁を有しており、
前記壁のうちの第１の壁は、開口部と、該開口部の縁部に折り曲げ可能な折曲線を介して連結されているとともに前記第１の壁と一体に形成された一対の窓フラップと、を有し、該窓フラップは、
該窓フラップが前記開口部内において前記第１の壁と同一平面上にある第１の位置と、
前記窓フラップが前記縁部から前記内部空間の中に延びて窓を画成し、該窓を通じて前記物品のうちの１つの物品が外部から視認できるように露出する第２の位置と、
の間で移動可能であり、
前記窓フラップは、
‐前記第１の位置にあるときには、前記一対の窓フラップの自由端間に間隔が開けられており、
‐前記第１の位置にある前記窓フラップを前記内部空間に押し込んで前記第２の位置へ移動させる間は、前記窓フラップが前記一つの物品との干渉により変形することなく、前記窓フラップの押し込み操作が許容され、
‐前記第２の位置にあるときには、前記窓フラップの自由端のうちの少なくとも一部が前記１つの物品の外表面に当接して前記１つの物品を係止する、
ように、寸法決めされているとともに形付けられていることを特徴とする包装。
【請求項２】
前記窓フラップが、前記第２の位置にあるときには、前記窓フラップの自由端の上下端部のうちの少なくとも一方において前記１つの物品を外部側から係止することを特徴とする請求項１に記載の包装。
【請求項３】
前記窓フラップの前記自由端が前記折曲線とは逆の方向に向かって膨出した凸曲状に湾曲しており、これによって前記窓フラップがその全長に沿った中間点において、前記窓フラップの対向する端部のいずれかにおけるよりも大きな幅を有することを特徴とする請求項１または２に記載の包装。
【請求項４】
前記窓フラップの前記折曲線は、前記窓フラップの自由端側とは逆の方向に向かって窪んだ凹曲状に湾曲しており、前記窓フラップが前記第２の位置へと前記折曲線に沿って折り曲げられつつ押し込まれるときに、前記窓フラップを前記折曲線に沿った曲面状に変形させることを特徴とする請求項１〜３のいずれか一項に記載の包装。
【請求項５】
前記折曲線はアーチ型の線であって、前記アーチ型の線は、該アーチ型の線の両頂部が互いから離間するように、相反する方向に湾曲していることを特徴とする請求項４に記載の包装。
【請求項６】
前記窓フラップは、前記第２の位置にあるときに、前記１つの物品以外の他の物品が前記窓を通じて外部から視認されるのを防止するための遮蔽パネルとなっていることを特徴とする請求項１〜５のいずれか一項に記載の包装。
【請求項７】
物品を装填することができる内部空間を画成する複数の壁を備え、
前記複数の壁のうちの第１の壁は、開口部と、該開口部の縁部に折り曲げ可能な折曲線を介して連結されているとともに前記第１の壁と一体に形成された一対の窓フラップと、を有し、前記窓フラップは、
該窓フラップが前記開口部内において前記第１の壁と同一平面上にある第１の位置と、
前記窓フラップが前記縁部から前記内部空間の中に延びて窓を画成し、該窓を通じて前記カートン内の前記物品のうちの１つの物品が外部から視認できるように露出する第２の位置と、
の間で移動可能であり、
前記窓フラップは、
‐前記第１の位置にあるときには、前記一対の窓フラップの自由端間に間隔が開けられており、
‐前記第１の位置にある前記窓フラップを前記内部空間に押し込んで前記第２の位置へ移動させる間は、前記窓フラップが前記一つの物品との干渉により変形することなく、前記窓フラップの押し込み操作が許容され、
‐前記第２の位置にあるときには、前記窓フラップの自由端のうちの少なくとも一部が前記１つの物品の外表面に当接して前記１つの物品を係止する、
ように、寸法決めされているとともに形付けられていることを特徴とする物品用カートン。
【請求項８】
前記窓フラップが前記第２の位置にあるときには、前記窓フラップの自由端の上下端部のうちの少なくとも一方において前記１つの物品を外部側から係止することを特徴とする請求項７に記載のカートン。
【請求項９】
前記窓フラップの前記自由端が前記折曲線とは逆の方向に向かって膨出した凸曲状に湾曲しており、これにより前記窓フラップがその長さに沿った中間点において、前記窓フラップの対向する端部のいずれかにおけるよりも大きな幅を有することを特徴とする請求項７または８に記載のカートン。
【請求項１０】
前記窓フラップの前記折曲線は、前記窓フラップの自由端側とは逆の方向に向かって窪んだ凹曲状に湾曲しており、前記窓フラップが前記第２の位置へと前記折曲線の回りに折り曲げられつつ押し込まれると、前記窓フラップが前記折曲線に沿った曲面状に変形することを特徴とする請求項７〜９のいずれか一項に記載のカートン。
【請求項１１】
前記窓フラップの変形は、前記第２の位置への前記窓フラップの折り曲げに抵抗することを特徴とする請求項１０に記載のカートン。
【請求項１２】
前記折曲線はアーチ型の線であって、前記アーチ型の線は、該アーチ型の線の両頂部が互いから離間するように、相反する方向に湾曲していることを特徴とする請求項９または１０に記載のカートン。
【請求項１３】
前記窓フラップは、前記第２の位置にあるときに、前記カートン内の前記１つの物品以外の他の物品が前記窓を通じて外部から視認されるのを防止するための遮蔽パネルとなっていることを特徴とする請求項７〜１２のいずれか一項に記載のカートン。
【請求項１４】
カートンを形成するためのブランクであって、
前記ブランクは、カートン壁を形成するための複数のパネルを有し、前記複数のパネルは、その内部に物品を装填できるカートンの内部空間を画成し、
前記複数のパネルのうちの第１のパネルは、開口部と、該開口部の縁部に折り曲げ可能な折曲線を介して連結されているとともに前記第１の壁と一体に形成された一対の窓フラップと、を有し、該窓フラップは、
該窓フラップが前記開口部内において前記第１の壁と同一平面上にある第１の位置と、
前記窓フラップが前記縁部から前記内部空間の中に延びて窓を画成し、該窓を通じて前記物品のうちの１つの物品が外部から視認できるように露出する第２の位置と、
の間で移動可能であり、
前記窓フラップは、
‐前記第１の位置にあるときには、前記一対の窓フラップの自由端間に間隔が開けられており、
‐前記第１の位置にある前記窓フラップを前記内部空間に押し込んで前記第２の位置へ移動させる間は、前記窓フラップが前記一つの物品との干渉により変形することなく、前記窓フラップの押し込み操作が許容され、
‐前記第２の位置にあるときには、前記窓フラップの自由端のうちの少なくとも一部が前記１つの物品の該表面に当接して前記１つの物品を係止する、
ように、寸法決めされているとともに形付けられていることを特徴とするブランク。
【請求項１５】
前記窓フラップの前記自由端が前記折曲線とは逆の方向に向かって膨出した凸曲状に湾曲しており、これにより前記窓フラップがその全長に沿った中間点において、前記窓フラップの対向する端部のいずれかにおけるよりも大きな幅を有することを特徴とする請求項１４に記載のブランク。
【請求項１６】
前記窓フラップの前記折曲線は、前記窓フラップの自由端側とは逆の方向に向かって窪んだ凹曲状に湾曲しており、前記窓フラップを前記第２の位置へと前記折曲線の回りに折り曲げつつ押し込むと、前記窓フラップが前記折曲線に沿った曲面状に変形することを特徴とする請求項１４または１５に記載のブランク。
【請求項１７】
前記窓フラップの変形は、前記第２の位置への前記窓フラップの折り曲げに抵抗することを特徴とする請求項１６に記載のブランク。
【請求項１８】
カートンの壁を形成する複数のパネルを備えるブランクを提供するステップであって、前記複数のパネルのうちの第１のパネルは、開口部と、該開口部の縁部に折り曲げ可能な折曲線を介して連結されているとともに前記第１の壁と一体に形成された一対の窓フラップと、を備え、前記窓フラップが前記開口部内において前記第１のパネルと同一平面上にある第１の位置に配設されている、ブランクを提供するステップと、
前記ブランクおよび前記物品を操作するステップであって、前記パネルが、内部空間を画成する前記カートンの壁を形成するとともに、物品が前記内部空間内に実質的に配設される、前記ブランクおよび前記物品を操作するステップと、
前記窓フラップを、前記第１の位置から、前記窓フラップが前記縁部から前記内部空間の内側に延びて窓を画成し、該窓を通じて前記物品のうちの１つの物品が外部から視認できるように露出する第２の位置へと押し込むステップと、
を備えることを特徴とする、請求項１〜６のいずれか一項に記載の包装を形成する方法。
【請求項１９】
前記操作するステップが、前記ブランクを実質的に管状の構造体に組み立てるステップと、前記物品が実質的に前記内部空間内に位置するように前記管状の構造体の中に前記物品を装填するステップと、を備えることを特徴とする請求項１８に記載の方法。
【請求項２０】
前記操作するステップが、前記物品を一つのグループにまとめるステップと、前記物品が実質的に前記内部空間内に位置するように前記物品のグループを前記ブランクで包むステップと、を備えることを特徴とする請求項１８または１９に記載の方法。
【請求項２１】
前記押し込むステップが、前記窓フラップの自由端のうちの少なくとも一部を前記グループの物品のうちの前記１つの物品の外表面に当接させて、前記窓フラップを前記第２の位置に保持するステップを備えることを特徴とする請求項１８〜２０のいずれか一項に記載の方法。
【考案の詳細な説明】
【技術分野】
【０００１】
本考案は、一つ以上の物品を包装するためのカートン、およびそのようなカートンを形成するためのブランクに関する。より詳しくは、本考案の開示は、それを通してカートンの中身の一部を見ることができる窓を提供するカートンに関するが、それらに限定されるものではない。
【背景技術】
【０００２】
包装の分野においては、多くの場合、複数の一次製品容器を含む包装の形で消費者に提供する必要がある。そのようなマルチパックは、出荷や流通および販促情報の表示にとって望ましい。しかしながら、その内部に何が収納されているかについて消費者を安心させるための手段として、そのような包装の内部に収納されている一次容器を最終消費者が見ることができるようにすることが望ましい。
【０００３】
それを通してその包装に収納されている物品の実質的な部分を見ることができる窓は、物品の閉じ込めに対する潜在的な弱点につがる傾向があり、それらの物品の１つ若しくは複数が不用意に包装から飛び出ることにつながる場合がある。
【考案の概要】
【考案が解決しようとする課題】
【０００４】
したがって、そのような不利益を招かない窓を有したカートンを提供することが望ましい。加えて、一連の折りたたみ操作ができる限り簡単で、かつカートンの組み立ておよび装填操作のオートメーション化を助ける窓をカートンに提供することがさらに望ましい。
【課題を解決するための手段】
【０００５】
本考案の開示は、先に確認した問題を解決し、若しくは少なくとも軽減しようとするものである。
【０００６】
本考案の第１の態様によると、物品のためのカートンが提供される。カートンは前記物品を装填できる内部空間を画成する複数の壁を備え、これら複数の壁のうち第１の壁が有する窓フラップは、その第１の壁に折り曲げ可能に接続されているとともに、それら窓フラップが前記第１の壁と同一平面上にあるとともに、開口によって互いにオフセットされている第１の位置と、それら窓フラップが前記内部空間の内側に延びる第２の位置との間で折り曲げることができる。
【０００７】
好ましくは、窓フラップの自由端は湾曲しており、窓フラップがその全長に沿った中間点において、その対向する端部のいずれかにおけるよりも大きな幅を有するようになっている。
【０００８】
若しくは、好ましくはその代りに窓フラップは、湾曲した折曲線によって第１の壁に折り曲げ可能に接続されており、窓フラップを折り曲げると第１の壁に変形を生じさせる。
【０００９】
好ましくは、第１の壁の変形は、前記第２の位置への窓フラップの折り曲げに抵抗する。
【００１０】
本考案の開示の第２の態様は、カートンを形成するためのブランクを提供し、このブランクは、その内部に物品を装填可能なカートンの内部空間を画成するためのカートン壁を形成する複数のパネルを備え、これら複数のパネルのうち第１のパネルが有している窓フラップは、この第１の壁に折り曲げ可能に接続されるとともに、窓フラップが第１の壁と同一平面上にあるとともに、開口によって互いにオフセットされている第１の位置と、カートンを組み立てたときに窓フラップが内部空間の内側に延びる第２の位置との間で折り曲げることができる。
【００１１】
好ましくは、窓フラップの自由端は湾曲しており、窓フラップがその全長に沿った中間点において、その互いに向き合う端部のいずれかにおけるよりも大きな幅を有するようになっている。
【００１２】
好ましくは若しくはその代りに、窓フラップは、湾曲した折曲線によって、第１のパネルに折り曲げ可能に接続されており、窓フラップを折り曲げると第１のパネルに変形が生じるようになっている。
【００１３】
好ましくは、第１のパネルの変形は、前記第２の位置への窓フラップの折り曲げに抵抗する。
【００１４】
この開示の第３の態様は、包装を形成する方法を提供する。この方法は、カートンの壁を形成する複数のパネルを有するブランクを提供するステップであって、前記複数のパネルのうち第１のパネルが具備する窓フラップが、この第１のパネルに折り曲げ可能に接続されているとともに、窓フラップが前記第１のパネルと同一平面上にあるとともに、開口によって互いにオフセットされている第１の位置と、カートンが組み立てられたときに窓フラップが内部空間の内側に延びる第２の位置との間で折り曲げ可能なブランクを提供するステップと、その内部に物品が配設される内部空間を画成するカートン壁を複数のパネルが形成するように、ブランクを折りたたむステップと、前記窓フラップを、第１のパネルと実質的に同一平面上にある第１の位置から、物品に向けて内部空間の内側へと折り曲げ、それによって、窓フラップの自由端が１つ若しくは複数の物品と当接するようにして前記窓フラップを前記第２の位置に保持するステップと、を備える。
【００１５】
好ましくは、窓フラップを第１のパネルに折り曲げ可能に接続する湾曲した折曲線は、窓フラップを前記第２の位置に折り曲げるときに、第１の壁に変形を生じさせる。
【００１６】
第１の壁の変形は、前記第２の位置への窓フラップの折り曲げに抵抗する。
【図面の簡単な説明】
【００１７】
【図１】この開示における第１実施形態によるブランクの平面図である。
【図２】物品の配列が装填された、図１のブランクから形成された、部分的に組み立てられたカートンの斜視図である。
【図３】それを通してカートンの中身を見ることができるように、その壁に窓を設けた図２のカートンの斜視図である。
【図４】この開示における第２実施形態のブランクの平面図である。
【図５】物品の配列が装填された、図４のブランクから形成された、部分的に組み立てられたカートンの上方から見た斜視図である。
【図６】それを通してカートンの中身を見ることができるように、壁に窓を設けた図５のカートンの斜視図である。
【考案を実施するための形態】
【００１８】
包装、ブランクおよびカートンの特定の実施形態の詳細な説明が本願明細書に開示される。開示される実施形態が、本開示の特定の態様を実施する方法の単なる例であり、かつ本開示を具現化できる全ての方法の網羅的なリストを表している訳でないことは理解されよう。実際に、本願明細書に記載される包装、ブランクおよびカートンが、様々なかつ代替的な形態で具現化できることは理解されよう。これら図面は必ずしも一定の比率である訳ではなく、特定の要素の詳細を図示するために、いくつかの特徴を大きく拡大し若しくは最小化している場合がある。良く知られた要素、部材若しくは方法は、本考案の開示が不明瞭になることを避けるために、必ずしも詳細に記載されている訳ではない。本願明細書に開示されるいかなる詳細な構造および機能的な詳細も、限定的なものとしてではなく、単なる実用新案請求の範囲の基礎として、かつ本考案の開示を様々に利用するべく当業者に教示するための典型的な基礎として解釈されるべきである。
【００１９】
本開示の第１の好ましい態様は、物品Ａの包装に適したカートン２を形成するためのブランク１およびその組立方法を提供している。このブランク１は、好ましくはいくつかの折り畳み可能なシート材料、例えば板紙若しくはその類似物から形成されるとともに、以下の特徴を有している。
【００２０】
ブランク１は、対応する折曲線４６、５０、７０および７２により、次から次へと折り曲げ可能に接続された、底部パネル１０、第１のサイドパネル１２、頂部パネル１４、第２のサイドパネル１６および第２の底部パネル１８を有する、直線的に連続した複数のパネルを備えている。サイドパネル１２、１６の互いに向き合う両側縁に配設されているのは、端部フラップ２０、下側ガセット２２、および頂部ガセット２６に折り曲げ可能に接続された上側ガセット２４から成る端部保持手段である。下側ガセット２２は、折曲線８８によって、第１の底部パネル１０に折り曲げ可能に接続され、かつ折曲線９０によって、端部フラップ２０に折り曲げ可能に接続されている。複数の端部フラップ２０は、これら端部フラップ２０の互いに向き合う両端部が、折曲線９４によって、上側ガセット２４に折り曲げ可能に接続されている。翻って上側ガセット２４は、折曲線９６によって、頂部ガセット２６に折り曲げ可能に接続されている。次いで、頂部ガセット２６は、折曲線９８によって、頂部パネル１４に折り曲げ可能に接続されている。下側ガセット２２および上側ガセット２４は、第１のサイドパネル１２および第２のサイドパネル１６のうちの一つにそれぞれ隣接する部分から、対応する開口２３、２５によって、切り離されている。
【００２１】
第２のサイドパネル１６は、図３に最も良く示されているように、組み立てられたカートン２の内部にある物品Ａを、それを通して最終的に視認し得る窓構造を形成するための複数のフラップを有している。この窓構造は、第１および第２の窓フラップ６４を有しており、これら窓フラップ６４は、第２のサイドパネル１６の対応する側部にアーチ型の若しくは湾曲した折曲線６８によって、折り曲げ可能に接続されているとともに、窓フラップ６４の並列している二つの端部７８間に形成された開口６６と、第２のサイドパネル１６を頂部パネル１４および第２の底部パネル１８にそれぞれ折り曲げ可能に接続している折曲線７０、７２を中断するように折りたたみ可能に延びる切れ目部分７４、７６とにより、互いから間隔を開けて配置されている。窓フラップ６４は、これら窓フラップ６４の自由端７８および湾曲した折曲線６８が、より大きな距離で互いにオフセットされるように、頂部パネル１４かつ底部パネル１０に隣接して配置することができる。第１実施形態の折曲線６８と同様に、折曲線６８は、窓フラップ６４がカートンの内側に折り畳まれたときに中央の（若しくは窓部分の）物品Ａの両側に位置するように配設される。自由端７８は互いから間隔を開けられており、中央（若しくは窓部分）の物品によって、実質的に妨げられることなく第２の位置へと窓フラップ６４を移動できるようにしている。本願明細書で使用する用語「中央の物品」若しくは「窓部分の物品」とは、窓フラップ６４の間で第２の側壁１６に隣接して配置された缶、瓶若しくはその他の物品を言う。本明細書で用いる「実質的に妨げられることなく」という用語は、窓フラップ６４を、窓部分の物品および／または第２の側壁１６に隣接する他の物品によって妨げられることなくカートンの内側に折りたたむことができること、あるいは第２の側壁１６に隣接する物品の存在によってほとんど変形することなく窓フラップ６４をカートンの内側に折り込むことができること、および、オートメーション化された装填過程において、窓フラップ６４をカートン内部に押し込むときに、窓フラップ６４を押圧する押圧部材が、既に装填されている物品と干渉することがないことを意味する。「ほとんど変形することなく」窓フラップ６４が折りたたまれるという後者の選択的な実施形態において、窓フラップ６４は、窓部分の物品に押圧されることにより窓部分の物品との摩擦接触が生じ、それらが一旦第２の位置に到達すると折り曲げられてカートンの外側に戻ることが妨げられるという程度に、いくらか変形する。しかしながら、「実質的に妨げられない」という用語はまた、窓フラップ６４がこの折りたたみ操作によって、それらの外観を修復するために後から若しくはその次にいくつかの折りたたみ操作が必要とされる程度には、破れない若しくは実質的にしわが寄らないことを意味する。したがって、窓フラップ６４の形状寸法は、窓フラップ６４の位置に加えてカートン内に収納される物品の形状寸法の関数である。
【００２２】
図示した実施形態においては、物品Ａは缶または類似の円筒状の物品であり、また、図示の窓フラップの形状寸法および窓フラップの位置は、窓フラップの自由端７８がそれらの外部部分に当接しつつスライドして通過する際に、窓フラップの変形量が小さい状態で窓フラップ６４がこれら物品Ａの隣接した外側部分を通過するのに合わせたものとなっている。より具体的には、図示のブランク１およびカートン２は、２列×３列で配置された６つの標準的な１２オンス缶を包装するように設計されている。図１および図２を参照すると、第２のサイドパネル１６の長さＤ１若しくは折曲線９３，９３の間の第１の距離は、各缶Ａの直径の３倍よりかなり短く、図２に最も良く示されているように端の缶の実質的な部分が見えるように露出している。窓フラップ６４の位置は、アーチ型の各折曲線６８の互いに向き合う両端部が折曲線９３，９３のうちの一つに隣接した位置から測定した第２の距離Ｄ２に配置され、かつアーチ型の折曲線６８の上側（若しくは下側）の端部間の距離Ｄ３が各缶Ａの直径より実質的に短く、第２および第３の距離Ｄ２、Ｄ３のそれぞれが第１の距離Ｄ１の概ね１／３であるようなものとなっている。アーチ型の各折曲線６８の半径は、好ましくは第１の距離Ｄ１の概ね２／３であるが、それに限定されるわけではない。アーチ型の折曲線６８の下側の端部間の距離Ｄ３は、物品の形状寸法に応じて、アーチ型の折曲線６８の上側の端部間の距離よりも、いくらか短くすることができ、それについては第２の実施形態の説明によってさらに説明される。
【００２３】
頂部パネル１４は、この頂部パネル１４の側縁の切除部１５、１７の間に延びる引裂きアクセス手段を有しており、引裂きアクセス部分は、頂部パネル１４の側縁がある第２の切除部１７から延びる一対のこわれやすい切断線５２の間に画成されており、これら一対のこわれやすい切断線５２は、それらが実質的に互いに平行に延びる前に第２の切除部１７から離れて延びるように互いに離れ、頂部パネル１４の側縁の第１の切欠部１５に隣接する反対側の側縁において、互いに相対的に接近するように収斂する。
【００２４】
一対のこわれやすい切断線５２の間に画成されているのは、実質的に半円形の切断線５７によって、頂部パネル１４に画成されるとともに真っ直ぐな折曲線６０によって頂部パネル１４に折り曲げ可能に接続された、互いに向き合う指フラップ５４を備える指フラップ構造である。各指フラップ５４は一対の折曲線５８を有し、これら折曲線５８は、  この折曲線６０の両端点から延びるとともに、指フラップ５４自体の外側端部を画定する切断線５７上のこの折曲線６０とは反対側の点上の一対の折曲線５８の交点に収斂する。さらに、折曲線６０上の端点から延びるとともにこれら折曲線６０上の端点と同軸なものは切れ目部分６２であり、これら切れ目部分６２は好ましくはＪ字形の切断線に終端し、頂部パネル１４のうち２つの指開口５４の間にある材料部分の、形成されたカートン２をそれによって、吊り下げることができるストラップハンドルとしての使用による応力を導く。各指開口内に収斂する折曲線５８によって、指フラップ５４がカートンの内側に折り畳まれて、その下方に位置する物品の間へ分け入る際に変形を生じさせることができる。
【００２５】
第１および第２の底部パネル１０，１８は相補的なタブおよび開口を有し、これらによって、一方を他方に係合させて固定することができる。好ましくは、第１の底部パネル１０は、底部パネル１０に画成されるとともに折曲線３０によって、底部パネル１０に折り曲げ可能に接続された、対向する一対の縁部タブ２８を有し、これら縁部タブ２８の間には、これもまた底部パネル１０に配置されるとともに折曲線４０によって底部パネル１０に折り曲げ可能に接続された第２のタブ３８と、同じく底部パネル１０に画成されるとともに折曲線３６によって底部パネル１０に折り曲げ可能に接続された第３の係合タブ３２とが配置されており、この折曲線３４は、第３の係合タブ３２の内側へと部分的に延びるとともに使用の際にこの折曲線３４から切り取られる戻り止め３６によって、中断されている。第２の底部パネル１８には、タブ２８、３８、３２の挿入に応じて動く変形可能な部分により画成された、相補的に大きさを決められた開口が形成されており、それによって、これらタブの拡大された頭部をそれら開口に挿入することができ、よってタブの係合解除を制止することができる。それら開口は、対向端開口８０、一対の第２開口８４、および第３開口８２を有しており、これら開口それぞれは、後述するようにこのブランク１を折りたたむときに、対応する縁部タブ２８、第２タブ３８および第３タブ３２と位置合わせを可能とするように、それぞれ寸法決めされて配置されている。また、好ましくは、第１および第２の底部パネル１０、１８の両方に開口を形成することができ、これら開口は、図１に示したように、開口の間に半円形の開口４４がある第１および第２の三角形状開口４２、および第２の底部パネル１８にある３つの三角形状開口８６の形態とすることができる。
【００２６】
装填されたカートン２へとブランク１を組み立て得る一つの可能な方法が本願明細書に記載されており、以下の通りに実施できる。一群の物品Ａは、ブランク１の頂部パネル１４の下方に、２列×３列に配置できる。次いで、ブランクの第１および第２のサイドパネル１２、１６を、頂部パネル１４にこれら第１および第２のサイドパネル１２、１６を折り曲げ可能に接続している各折曲線５０、７０のところで下方に折り曲げる一方で、同時に、第１および第２のサイドパネル１２、１６の両側それぞれに沿った端部保持フラップ２０を、これらサイドパネル１２、１６の部分と同一平面上における接触状態に実質的に１８０度に折りたたむ。保持フラップ２０のこの折りたたみは、ガセットパネル２２、２４、２６が設けられていることの結果として、第１および第２の底部パネル１０、１８の自動的な折りたたみを生じさせ、これにより、サイドパネル１２、１６は下方に移動して２列×３列の物品Ａの側面部分に接触し、保持フラップ２０はこれら物品Ａのうちの選択された物品Ａ間に挟まれるようになり、第１および第２のサイドパネル１２，１６と第１および第２の底部パネル１０，１８とは、少なくとも部分的に物品Ａの配列の下方に配置されるようになる。下側ガセット２２は物品Ａの配列の末端の下側部分を保持するように設けられており、一方で上側ガセット２４は同様に、タブ２８、３８、３２の、対応する開口８０、８４、８２への挿入を通じた第１の底部パネル１０の第２の底部パネル１８への固定を通じて、物品Ａの配列の末端の上側部分を保持するように設けられており、複合された底部パネルが物品Ａの下方に作り出され、結果として得られたカートン２の内部への物品の囲い込みが達成される。
【００２７】
先行する折りたたみ操作に続き、窓フラップ６４がカートン２の内側に折り畳まれて、第２のサイドパネル１６に隣接する配列の中央の物品Ａに当接する。この窓フラップ６４の内側への折りたたみは、窓フラップ６４を第２のサイドパネル１６に折り曲げ可能に接続している折曲線６８の湾曲により、この第２のサイドパネル１６の変形を生じさせる。また、この湾曲は、材料がこの変形に抵抗するので、窓フラップ６４がカートンの内側に折りたたまれることに対して抵抗することを意味する。カートン２の内側に物品Ａを装填した後の、引き続く窓フラップ６４のこの折りたたみは、窓パネル６４が開口６６によって、互いに間隔を開けて配置されているという事実によって可能となる。すなわち、中央の物品Ａの外側表面とあまり干渉することなく窓フラップ６４がカートン２の内側へと通過できるようにするべく、また、この窓フラップ６４のカートン２の内側への押し込みを機械化してオートメーション化を容易にするべく、窓フラップ６４の最大幅が十分に短いことを意味している。窓フラップ６４の自由端７８が互いに対して凸状に湾曲しており、これにより、中央の物品Ａの外側表面への湾曲した当接端部７８を提供している。この当接端部７８の湾曲は、一旦内側に折りたたまれるとこの端部がカートン２の内部により深く貫通することを可能とし、よって、中央の物品Ａとのより大きな接触表面を確立する。これは、湾曲した折曲線６８と中央の物品Ａの上下端部それぞれとの間のオフセットが、湾曲した折曲線６８の中間領域と中央の物品Ａの中間領域との間の距離より小さく、従って、当接端部７８の湾曲がこのオフセットの橋渡しをするための追加の材料部分を提供するので、特に重要である。
【００２８】
一旦中央の物品Ａと当接するように配置されると、第２のサイドパネル１６の変形した材料による弾力的な付勢により、窓フラップ６４は物品Ａの表面に向けて付勢される。この付勢は、中央の物品Ａの意図しない飛び出氏を可能にする窓フラップ間の開口６６の十分な拡大を可能にしてしまう、窓フラップ６４の追加的な内側への折りたたみに抵抗する。加えて、湾曲した折曲線６８上に並置された最も上側にあるポイント間の距離、および湾曲した折曲線６８上に並置された最も下側にあるポイント間の距離は、好ましくは中央の物品Ａの幅より小さくなるように選択され、これによって、また、湾曲した折曲線６８上の最も上側および最も下側のポイントの近傍にある第２のサイドパネルの内側部分によって、物品Ａの上下部分がカートン２内に保持される。
【００２９】
ここで、本開示における第２の好ましい実施形態による、カートン１０２を形成するためのブランク１０１が、図４〜図６を参照して説明される。この第２実施形態は第１実施形態と実質的に同様であり、同様の特徴部分を表示するために「１」を前置した類似の参照符号を用いる。２つの実施形態の相違のみが以下に記載される。
【００３０】
ブランク１０１は、対応する折曲線１４６、１７２、１７６、１５０によって、次から次へと折り曲げ可能に接続されて直線的に連続している、糊代タブ１４９、底部パネル１１０、第２のサイドパネル１１６、頂部パネル１１４、および第１のサイドパネル１１２を備えている。
【００３１】
糊代パネル１４９は折曲線１４７を有し、この折曲線１４７は、底部パネル１１０に沿って延びるとともに底部パネル１１０に隣接している斜面部分１２３を画成している。同様に第２のサイドパネル１１６もまた、底部パネル１１０に沿って延びるとともに底部パネル１１０に隣接する斜面部分１２１を画成する、折曲線１７５を有している。この斜面部分１２１は、第２のサイドパネル１１６に画成された窓フラップ１６４により中断されている。斜面部分１２１を画成する折曲線１７５は、窓フラップ１６４を第２のサイドパネル１１６に接続しているいずれの折曲線１６８をも横切るように延びてはいない。このようにして、窓フラップ１６４は、頂部パネル１１４と底部パネル１１０との間に全体的に延びている。
【００３２】
第２のサイドパネル１１６の対向する端部に沿って、さらなる斜面部分１１９が、頂部パネル１１４と平行にかつ頂部パネル１１４からオフセットして頂部パネル１１４の側縁間に延びる他の折曲線１７３により画成されている。対向する斜面部分１２１と同様に、窓フラップ１６４は、この斜面部分１１９が、第２のサイドパネル１１６と頂部パネル１１４とを接続している折曲線へと延びるのを妨害している。
【００３３】
第１実施形態と同様に、窓フラップ１６４は、湾曲した折曲線１６８によって、第２のサイドパネル１１６に接続されているが、これら湾曲した折曲線は、頂部パネル１１４に隣接する端点間に、底部パネル１１０に隣接する端点間における隙間より大きな隙間があるように構成することができる。第１実施形態と同様に、窓フラップ１６４の自由端１７８は湾曲しており、窓フラップ１６４はカートンの内側への窓フラップ１６４の動きが実質的に妨げられないように寸法決めされている。
【００３４】
第１のサイドパネル１１２は、オフセットされた、好ましくは平行なこわれやすい線１８７間に画成された、引裂きアクセスストリップ１８５を有し、これらこわれやすい線１８７は、第１のサイドパネル１１２の互いに向き合う自由側縁間において第１のサイドパネル１１２の幅の大部分にわたって延びている。切断線１８９は、これら２つのこわれやすい線１８７の間に橋掛けされて、裂け始めポイントを提供している。加えて、頂部パネル１１４に沿ってかつ隣接して、第１のサイドパネル１１２は、この第１のサイドパネル１１２と頂部パネル１１４との間に、斜面部分１１３を画成する折曲線１４８を有している。
【００３５】
頂部パネル１１４および底部パネル１１０の両方は、それらの対向する自由端それぞれの近傍において、頂部パネル１１４および底部パネル１１０に画成された付勢フラップ１９１を備えている。これら付勢フラップは、その形態が選択的に半円形であり、かつ付勢フラップ１９１の平坦な縁部に沿って対応する底部パネル１１０若しくは頂部パネル１１４に折り曲げ可能に接続されている。底部パネル１１０および頂部パネル１１４の対向する端部それぞれには、それぞれ保持フラップ１７７が配設されている。これら保持フラップは、好ましくは半円形状であり、かつヒンジ用の折曲線１８１、１８３により、保持フラップの平坦な側縁に沿って、底部パネル１１０および頂部パネル１１４のうちのそれぞれ１つに折り曲げ可能に接続されている。後述するように、物品が装填されたカートン１０２へとブランクを組み立てるときに、付勢フラップ１９１と保持フラップ１７７とは協働する。
【００３６】
図４のブランク１０１を図５のカートン１０２に組み立てる１つの考えられる方法は、以下の通りである。
【００３７】
１列×３列の一群の物品Ａが組立てられ、ブランク１０１の頂部パネル１１４がそれら一群の物品Ａの上に配置される。付勢フラップ１９１および保持フラップ１７７が、頂部パネル１１４および底部パネル１１０それぞれの内側に折りたたまれ、付勢フラップ１９１が頂部パネル１１４および底部パネル１１０のうちのそれぞれ１つと保持フラップ１７７との間に挟まれる。保持フラップ１７７は、１列×３列の各端部において、物品Ａの上側の円形状リムに位置合わせされる。
【００３８】
ブランク１０１の材料が平坦な平面状態に戻ろうとする自然な傾向は、配列の末端の物品Ａの上側表面に対して保持フラップ１７７を付勢する。保持フラップ１７７をこのように付勢する力は付勢フラップ１９１の存在によって増加し、付勢フラップ１９１は、付勢フラップ１９１自身が頂部パネル１１０の平面へと展開し元に戻ろうとするので、保持フラップの内側表面を付勢する。物品の直立する円形リムは当接表面を提供し、この当接表面が保持フラップ１７７の周縁自由端部１７９に接触して、完成したカートン１０２からの物品の意図しない飛び出しを防止する。
【００３９】
次いで、第１サイドパネル１１２および第２のサイドパネル１１６は、これらサイドパネルを、物品Ａの配列の各側面部分に接触するように頂部パネル１１４に接続している折曲線１５０、１７６の回りで下方に折りたたまれる。この折りたたみ操作に応じて、第１および第２のサイドパネル１１２，１１６の斜面部分１１３、１１９のそれぞれは、これらサイドパネル１１２、１１６の各平面から外側へ折り畳まれるとともに、物品Ａの横方向の仕切部の近傍の角度をつけられたおよび／または丸められた上側端部の回りに折りたたまれる。これら斜面部分は、頂部パネル１１４が物品の上側表面と同じ幅を有することができるとともに、対向するサイドパネル１１２、１１６間の距離を頂部パネル１１４のこの幅より大きくすることができ、それによって、物品Ａの最大幅に合わせられるので、（例えば缶および瓶のように）物品がその上側表面から外側へとテーパ状である場合に、物品Ａがより確実に保持されるようにする。
【００４０】
底部パネル１１０の保持フラップ１７７および付勢フラップ１９１は、頂部パネル１１４の付勢フラップ１７７および保持フラップ１９１に関して上述したのと同じ方法で内側に折りたたまれる。これによって付勢フラップ１９１が底部パネル１１０と保持フラップ１７７との間に挟まれ、次いで底部パネルが物品Ａの配列の下方に折りたたまれ、これによって物品Ａの下側の、丸められているか、若しくは角度をつけられた縁部の回りで、隣接する第２のサイドパネル１１６の斜面部分１２１を折り曲げ可能に接続する。
【００４１】
糊代フラップ１４９は、この糊代フラップ１４９を底部パネル１１０に接続している折曲線１４６の回りに上方に折り曲げられ、それによって、その斜面部分１２３を物品Ａの下側の、丸められているか、若しくは角度が付けられた部分の回りで折り曲げる。接着剤ストリップＧ若しくは接着剤のいくつかの形態は、糊代フラップ１４９を第１のサイドパネル１１２の接触部分に固定するために、糊代フラップ１４９に付加される。好ましくは、糊代フラップ１４９は、第１のサイドパネル１１２と物品Ａの配列との間に挟まれる。
【００４２】
結果として得られる部分的に組み立てられたカートン１０２は、図５に最も良く示されている。
【００４３】
次いで、窓フラップ１６４はカートン１０２の内側に折り曲げられ、これによって、窓フラップ１６４の自由端１７８が配列における中央の物品Ａの隣接部分に当接する。この当接は、窓フラップ１６４を所定の場所に固定し、窓フラップ１６４間に中央の物品Ａを陳列する。窓フラップ１６４をこのように折り曲げるときには、いくつかの軽度の変形が必要とされる場合があるが、好ましくは、カートン１０２を形成する材料は、そのような変形に合わせて十分な柔軟性を有する。窓フラップ１６４を第２のサイドパネルに接続する折曲線１６８の湾曲は、第１実施形態に関して上述したのと同様に、サイドパネル１１６の（外側から見たときに）凸状の支持物を生じさせる。
【００４４】
様々な変更を本考案の範囲内でなし得ることは理解され、例えば、異なるサイズ若しくは形状の物品に合わせて、パネルや開口の寸法および形状を調整できる。本考案の他の実施形態においては、窓フラップをカートンのサイドパネルに折り曲げ可能に接続している折曲線の湾曲の本質を図示されたものから変更し得ること、あるいは直線的な折曲線に置き換え得ることが予想される。窓フラップを対向するサイドパネルの両方に設け得ること、および窓フラップの組または各組を、カートン内の隣接する物品の配列内で、中央ではない物品を露出させるように配置し得ることが予想される。
【００４５】
上述した斜面部分は、カートン内の物品の上下の端部の周りにベストフィットすることが望ましい場合には、省略するかあるいは変更することができる。例えば、物品が外側にテーパ状の側部を有しない場合には斜面部分は不要であり、したがって省略できる。物品の形状の故に斜面部分が存在しかつ有利な場合においても、斜面部分をブランクに含めることは必須ではない。
【００４６】
上述した付勢フラップを省略し得ること、若しくは付勢フラップおよび保持フラップの両方を省略し得ることが予想される。サイドパネルの上下の端部に若しくはそれをまたぐような、それを通じて隣接する物品の部分が突出し得る開口のような他の手段を設けて、物品が意図せず飛び出さないように保持することができる。
【００４７】
本願明細書に用いている、例えば「頂部」、「底部」、「前側」、「後側」、「端部」、「サイド」、「内側」、「外側」、「上側」および「下側」といった方向を示す言及は、各パネルをそのような方向に制限するものではなく、単にこれらのパネルを互いに区別するのに役立つだけであるということがここで認められる。折り曲げ可能な接続についてのいかなる言及も、必ずしも単一の折曲線に関連するものとして解釈されてはならない。実際に、折り曲げ可能な接続が、短い切れ込み、こわれやすい線、若しくは折曲線の１つ以上から形成され得ることは、本考案の範囲から逸脱することなく予想することができる。
【符号の説明】
【００４８】
１、１０１・・・ブランク
２、１０２・・・カートン
１６、１１６・・・第２のサイドパネル（第１の壁、第１のパネル）
６４、１６４・・・窓フラップ
６６、１６６・・・開口
６８、１６８・・・折曲線
７８、１７８・・・自由端
物品・・・Ａ
【図１】
0003174661.tif 000003
【図２】
0003174661.tif 000004
【図３】
0003174661.tif 000005
【図５】
0003174661.tif 000006
【図６】
0003174661.tif 000007
【図４】
0003174661.tif 000008
【手続補正書】
【提出日】平成24年1月25日(2012.1.25)
【手続補正１】
【補正対象書類名】実用新案登録請求の範囲
【補正対象項目名】全文
【補正方法】変更
【補正の内容】
【実用新案登録請求の範囲】
【請求項１】
カートンおよび複数の物品から成る包装であって、
前記カートンは前記物品を受容する内部空間を画成する複数の壁を有しており、
前記壁のうちの第１の壁は、開口部と、該開口部の縁部に折り曲げ可能な折曲線を介して連結されているとともに前記第１の壁と一体に形成された一対の窓フラップと、を有し、該窓フラップは、
該窓フラップが前記開口部内において前記第１の壁と同一平面上にある第１の位置と、
前記窓フラップが前記縁部から前記内部空間の中に延びて窓を画成し、該窓を通じて前記物品のうちの１つの物品が外部から視認できるように露出する第２の位置と、
の間で移動可能であり、
前記窓フラップは、
‐前記第１の位置にあるときには、前記一対の窓フラップの自由端間に間隔が開けられており、
‐前記第１の位置にある前記窓フラップを前記内部空間に押し込んで前記第２の位置へ移動させる間は、前記窓フラップが前記一つの物品との干渉により変形することなく、前記窓フラップの押し込み操作が許容され、
‐前記第２の位置にあるときには、前記窓フラップの自由端のうちの少なくとも一部が前記１つの物品の外表面に当接して前記１つの物品を係止する、
ように、寸法決めされているとともに形付けられていることを特徴とする包装。
【請求項２】
前記窓フラップが、前記第２の位置にあるときには、前記窓フラップの自由端の上下端部のうちの少なくとも一方において前記１つの物品を外部側から係止することを特徴とする請求項１に記載の包装。
【請求項３】
前記窓フラップの前記自由端が前記折曲線とは逆の方向に向かって膨出した凸曲状に湾曲しており、これによって前記窓フラップがその全長に沿った中間点において、前記窓フラップの対向する端部のいずれかにおけるよりも大きな幅を有することを特徴とする請求項１または２に記載の包装。
【請求項４】
前記窓フラップの前記折曲線は、前記窓フラップの自由端側とは逆の方向に向かって窪んだ凹曲状に湾曲しており、前記窓フラップが前記第２の位置へと前記折曲線に沿って折り曲げられつつ押し込まれるときに、前記窓フラップを前記折曲線に沿った曲面状に変形させることを特徴とする請求項１〜３のいずれか一項に記載の包装。
【請求項５】
前記折曲線はアーチ型の線であって、前記アーチ型の線は、該アーチ型の線の両頂部が互いから離間するように、相反する方向に湾曲していることを特徴とする請求項４に記載の包装。
【請求項６】
前記窓フラップは、前記第２の位置にあるときに、前記１つの物品以外の他の物品が前記窓を通じて外部から視認されるのを防止するための遮蔽パネルとなっていることを特徴とする請求項１〜５のいずれか一項に記載の包装。
【請求項７】
物品を装填することができる内部空間を画成する複数の壁を備え、
前記複数の壁のうちの第１の壁は、開口部と、該開口部の縁部に折り曲げ可能な折曲線を介して連結されているとともに前記第１の壁と一体に形成された一対の窓フラップと、を有し、前記窓フラップは、
該窓フラップが前記開口部内において前記第１の壁と同一平面上にある第１の位置と、
前記窓フラップが前記縁部から前記内部空間の中に延びて窓を画成し、該窓を通じて前記カートン内の前記物品のうちの１つの物品が外部から視認できるように露出する第２の位置と、
の間で移動可能であり、
前記窓フラップは、
‐前記第１の位置にあるときには、前記一対の窓フラップの自由端間に間隔が開けられており、
‐前記第１の位置にある前記窓フラップを前記内部空間に押し込んで前記第２の位置へ移動させる間は、前記窓フラップが前記一つの物品との干渉により変形することなく、前記窓フラップの押し込み操作が許容され、
‐前記第２の位置にあるときには、前記窓フラップの自由端のうちの少なくとも一部が前記１つの物品の外表面に当接して前記１つの物品を係止する、
ように、寸法決めされているとともに形付けられていることを特徴とする物品用カートン。
【請求項８】
前記窓フラップが前記第２の位置にあるときには、前記窓フラップの自由端の上下端部のうちの少なくとも一方において前記１つの物品を外部側から係止することを特徴とする請求項７に記載のカートン。
【請求項９】
前記窓フラップの前記自由端が前記折曲線とは逆の方向に向かって膨出した凸曲状に湾曲しており、これにより前記窓フラップがその長さに沿った中間点において、前記窓フラップの対向する端部のいずれかにおけるよりも大きな幅を有することを特徴とする請求項７または８に記載のカートン。
【請求項１０】
前記窓フラップの前記折曲線は、前記窓フラップの自由端側とは逆の方向に向かって窪んだ凹曲状に湾曲しており、前記窓フラップが前記第２の位置へと前記折曲線の回りに折り曲げられつつ押し込まれると、前記窓フラップが前記折曲線に沿った曲面状に変形することを特徴とする請求項７〜９のいずれか一項に記載のカートン。
【請求項１１】
前記窓フラップの変形は、前記第２の位置への前記窓フラップの折り曲げに抵抗することを特徴とする請求項１０に記載のカートン。
【請求項１２】
前記折曲線はアーチ型の線であって、前記アーチ型の線は、該アーチ型の線の両頂部が互いから離間するように、相反する方向に湾曲していることを特徴とする請求項９または１０に記載のカートン。
【請求項１３】
前記窓フラップは、前記第２の位置にあるときに、前記カートン内の前記１つの物品以外の他の物品が前記窓を通じて外部から視認されるのを防止するための遮蔽パネルとなっていることを特徴とする請求項７〜１２のいずれか一項に記載のカートン。
【請求項１４】
カートンを形成するためのブランクであって、
前記ブランクは、カートン壁を形成するための複数のパネルを有し、前記複数のパネルは、その内部に物品を装填できるカートンの内部空間を画成し、
前記複数のパネルのうちの第１のパネルは、開口部と、該開口部の縁部に折り曲げ可能な折曲線を介して連結されているとともに前記第１の壁と一体に形成された一対の窓フラップと、を有し、該窓フラップは、
該窓フラップが前記開口部内において前記第１の壁と同一平面上にある第１の位置と、
前記窓フラップが前記縁部から前記内部空間の中に延びて窓を画成し、該窓を通じて前記物品のうちの１つの物品が外部から視認できるように露出する第２の位置と、
の間で移動可能であり、
前記窓フラップは、
‐前記第１の位置にあるときには、前記一対の窓フラップの自由端間に間隔が開けられており、
‐前記第１の位置にある前記窓フラップを前記内部空間に押し込んで前記第２の位置へ移動させる間は、前記窓フラップが前記一つの物品との干渉により変形することなく、前記窓フラップの押し込み操作が許容され、
‐前記第２の位置にあるときには、前記窓フラップの自由端のうちの少なくとも一部が前記１つの物品の該表面に当接して前記１つの物品を係止する、
ように、寸法決めされているとともに形付けられていることを特徴とするブランク。
【請求項１５】
前記窓フラップの前記自由端が前記折曲線とは逆の方向に向かって膨出した凸曲状に湾曲しており、これにより前記窓フラップがその全長に沿った中間点において、前記窓フラップの対向する端部のいずれかにおけるよりも大きな幅を有することを特徴とする請求項１４に記載のブランク。
【請求項１６】
前記窓フラップの前記折曲線は、前記窓フラップの自由端側とは逆の方向に向かって窪んだ凹曲状に湾曲しており、前記窓フラップを前記第２の位置へと前記折曲線の回りに折り曲げつつ押し込むと、前記窓フラップが前記折曲線に沿った曲面状に変形することを特徴とする請求項１４または１５に記載のブランク。
【請求項１７】
前記窓フラップの変形は、前記第２の位置への前記窓フラップの折り曲げに抵抗することを特徴とする請求項１６に記載のブランク。